(57)【特許請求の範囲】
【請求項１】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、
前記用紙に対して前記用紙処理とは別の別用紙処理が可能に構成され、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記装置基準位置と前記用紙基準位置とを合致させる状態で前記用紙処理と前記別用紙処理とを実行可能な前記用紙が前記給紙部に存在するか否かを判断し、判断結果を表示もしくは通知するよう制御する、
ことを特徴とする画像形成システム。
【請求項２】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、
前記用紙に対して前記用紙処理とは別の別用紙処理が可能に構成され、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記装置基準位置と前記用紙基準位置とを合致させる状態で前記用紙処理と前記別用紙処理とを実行可能な前記用紙が前記給紙部に存在するか否かを判断し、存在しないと判断された場合には前記用紙処理又は前記別用紙処理の何れか一方の設定を解除する、
ことを特徴とする画像形成システム。
【請求項３】
前記制御部は、
前記別用紙処理を実行する場合に、前記装置基準位置と前記用紙基準位置とを合致させることが可能か否かを判断し、判断結果を表示もしくは通知するよう制御する機能を有する、
ことを特徴とする請求項２に記載の画像形成システム。
【請求項４】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、前記用紙に対して前記用紙処理とは別の別用紙処理が可能な場合に構成された画像形成システムを制御する画像形成システム制御方法であって、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記装置基準位置と前記用紙基準位置とを合致させる状態で前記用紙処理と前記別用紙処理とを実行可能な前記用紙が前記給紙部に存在するか否かを判断し、判断結果を表示もしくは通知するよう制御する、
ことを特徴とする画像形成システム制御方法。
【請求項５】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、前記用紙に対して前記用紙処理とは別の別用紙処理が可能な場合に構成された画像形成システムを制御する画像形成システム制御方法であって、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記用紙に対して前記用紙処理とは別の別用紙処理が可能な場合に、前記制御部は、前記装置基準位置と前記用紙基準位置とを合致させる状態で前記用紙処理と前記別用紙処理とを実行可能な前記用紙が前記給紙部に存在するか否かを判断し、存在しないと判断された場合には前記用紙処理又は前記別用紙処理の何れか一方の設定を解除する、
ことを特徴とする画像形成システム制御方法。
【請求項６】
前記制御部は、前記別用紙処理を実行する場合に、前記装置基準位置と前記用紙基準位置とを合致させることが可能か否かを判断し、判断結果を表示もしくは通知するよう制御する、
ことを特徴とする請求項５に記載の画像形成システム制御方法。
【請求項７】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、前記用紙に対して前記用紙処理とは別の別用紙処理が可能に構成された画像形成システムを制御するために、該画像形成システムのコンピュータを機能させる画像形成システム制御プログラムであって、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記装置基準位置と前記用紙基準位置とを合致させる状態で前記用紙処理と前記別用紙処理とを実行可能な前記用紙が前記給紙部に存在するか否かを判断し、判断結果を表示もしくは通知するよう制御する、
ことを特徴とする画像形成システム制御プログラム。
【請求項８】
収容されている用紙を給紙する給紙部と、
前記用紙に形成すべき画像について回転処理を含む画像処理を行う画像処理部と、
前記画像処理部で処理された前記画像を前記用紙に形成する画像形成部と、
装置基準位置から所定距離となる用紙処理実行位置に用紙処理を行う用紙処理部と、
前記給紙と前記画像処理と前記画像形成と前記用紙処理とを制御する制御部と、を有し、前記用紙に対して前記用紙処理とは別の別用紙処理が可能に構成された画像形成システムを制御するために、該画像形成システムのコンピュータを機能させる画像形成システム制御プログラムであって、
前記制御部は、
前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、
前記装置基準位置と前記用紙基準位置とが合致するように、前記給紙部からの前記用紙の給紙を制御し、
前記給紙された前記用紙の向きと前記画像形成部での前記画像の形成の向きと前記用紙処理部での前記用紙の向きとが合致するように、前記画像処理部での前記回転処理の角度を制御し、
前記用紙に対して前記用紙処理とは別の別用紙処理が可能な場合に、前記装置基準位置と前記用紙基準位置とを合致させる状態で前記用紙処理と前記別用紙処理とを実行可能な前記用紙が前記給紙部に存在するか否かを判断し、存在しないと判断された場合には前記用紙処理又は前記別用紙処理の何れか一方の設定を解除する、
ことを特徴とする画像形成システム制御プログラム。
【請求項９】
前記制御部は、前記別用紙処理を実行する場合に、前記装置基準位置と前記用紙基準位置とを合致させることが可能か否かを判断し、判断結果を表示もしくは通知するよう制御する、
ことを特徴とする請求項８に記載の画像形成システム制御プログラム。
【発明の詳細な説明】
【技術分野】
【０００１】
本発明は、画像形成システム、画像形成システム制御方法及び画像形成装置制御プログラムに関し、特に、用紙処理を指定箇所に適切に実行する制御に関する。
【背景技術】
【０００２】
画像形成装置において各種の用紙処理装置を接続することで、さまざまな製本処理が可能になり、印刷装置として使用することができる。
たとえば、用紙の中央で用紙を中折りにした用紙束として、その束の折り目部分にステープル処理をして中綴じ製本が可能である。また、中綴じした用紙束の背の部分にローラ等で圧力を掛け、角の折り目をつけて背表紙部分を作り、無線綴じに似た状態にする角背処理が可能である。
【０００３】
また、このような折り目をつける前処理として、折り目をつける予定の位置に、クリーサー（creaser）と呼ばれる筋付け装置を用いて筋付け処理を施して筋を付けることが行われる。そして、筋付け処理の後に折り処理を実行することで、複数枚の用紙を纏めた状態で折り処理を行っても、折り目が膨らむことを防止できる利点がある。
【０００４】
また、このように、折り処理を実行する前に筋付け処理を実行しておくことで、用紙に形成された画像のトナー剥がれが防止できるという効果も得られる。
なお、このような筋付け処理については、以下の特許文献に提案されている。
【先行技術文献】
【特許文献】
【０００５】
【特許文献１】特開２０１２−１１１６１９号公報
【特許文献２】特開２０１２−１０１８７２号公報
【特許文献３】特開２０１２−８２０５２号公報
【特許文献４】特開２０１２−７６８８３号公報
【特許文献５】特開２０１２−１４３８９９号公報
【発明の概要】
【発明が解決しようとする課題】
【０００６】
以上の筋付け処理では、用紙上の画像配置との関係で用紙側における用紙基準位置（用紙の一辺）が指定され、その用紙基準位置からの指定距離ｄにより、筋付け位置が指定される。
【０００７】
そして、用紙処理装置では、ストッパ等の装置基準位置と指定された用紙基準位置とを一致させたうえで、ストッパから指定距離ｄだけ離れた位置に筋付け実施ユニットを移動させて、筋付け処理を実行している。
【０００８】
ところが、実際の画像形成システムでは、給紙部に収容されている用紙の向きや他の用紙処理との関係で、ストッパ等の装置基準位置と、指定された用紙基準位置とを一致させることができない場合が生じる。例えば、指定された用紙基準位置とは１８０°反対側の用紙の辺を、ストッパ等の装置基準位置と一致させて、上述した指定距離ｄの方向の用紙長をＤとした場合に、ストッパからＤ−ｄの距離だけ離れた位置に筋付け実施ユニットを移動させて、筋付け処理を実行することが可能である。
【０００９】
なお、一般的には、筋付け位置に近い側の用紙一辺を用紙基準位置とすることが多い。この場合、定着処理による用紙収縮が発生しても、筋付け位置の誤差は小さい。
一方、指定された用紙基準位置とは１８０°反対側の用紙の辺を装置基準位置と一致させて、装置基準位置からＤ−ｄの距離だけ離れた位置で筋付け処理を実行すると、定着処理による用紙収縮の影響を大きく受けることになり、筋付け位置の誤差が大きくなる問題がある。
【００１０】
なお、これと同様の問題は、筋付け処理だけでなく、用紙処理全般において発生しうる。すなわち、ステイプル処理、パンチ処理、折り処理、スリット（用紙端部の切断）処理、などにおいても、同様な問題が発生する。また、用紙処理実行位置が用紙基準位置に近いほど、反対側を装置基準位置として用紙処理を実行する際の誤差の影響が大きくなる。
【００１１】
例えば、用紙基準位置から１０mm離れた位置に用紙処理を施すことを想定する。この場合に、定着の熱により用紙が４％収縮しているとすると、用紙処理実行位置での影響は１０×０．０４＝０．４mmである。一方、用紙長が２９７mmであるとすると、反対側を装置基準位置として用紙処理する場合には、反対側から見て２９７mm−１０mm＝２８７mmの位置に用紙処理を施す必要がある。ところが、収縮後の用紙長が２９７×（１−０．０４）＝２８５．１２mmとなっているため、２８７mmの位置は用紙領域から外れており、用紙処理を実行することができない。
【００１２】
また、用紙長が２９７mmであり、反対側を装置基準位置として用紙処理する場合には、反対側から見て２９７mm−１０mm＝２８７mmの位置に用紙処理を施す必要があるが、定着の熱により用紙が３％収縮しているとすると、収縮後の用紙長が２９７×（１−０．０３）＝２８８mmとなっている。このため、２８８mmの用紙に対して２８７mmの位置、すなわち、用紙端部から１mmの位置に用紙処理が実行されてしまう。
【００１３】
なお、定着により生じる収縮は定着温度や用紙種類によっても異なるため、事前に正しく知ることはできない。よって、上述したように、反対側を装置基準位置として用紙処理すると、用紙処理実行位置を正しく管理することができなくなる問題がある。
【００１４】
また、上記の特許文献１では、筋付け処理の制御についての記載はあるものの、上述した処理位置や基準位置についての配慮はなされていない。
また、上記の特許文献２では、筋付け処理とミシン目処理との位置合わせの記載はあるものの、上述した処理位置や基準位置についての配慮はなされていない。
【００１５】
また、上記の特許文献３では、筋付け処理される用紙と筋付け処理されない用紙との搬送経路を制御して生産性を向上させる記載はあるものの、上述した処理位置や基準位置についての配慮はなされていない。
【００１６】
また、上記の特許文献４では、筋付け処理と他の用紙処理との整合を高める制御についての記載はあるものの、上述した処理位置や基準位置についての配慮はなされていない。
また、上記の特許文献５では、三つ折り処理により外側に露出する面の用紙端部と画像の上下との関係により、必要に応じて画像を１８０°回転させる制御についての記載はあるものの、上述した処理位置や基準位置についての配慮はなされていない。
【００１７】
本発明はこのような課題に鑑みてなされたものであって、用紙の収縮の影響によらず指定された位置に精度良く用紙処理を実行できる画像形成システム、画像形成システム制御方法及び画像形成システム制御プログラムを提供することを目的とする。
【課題を解決するための手段】
【００１８】
すなわち、前記した課題を解決する本発明は、以下の通りである。
（１）上述した課題を解決するために本願発明の一側面が投影された画像形成システム、画像形成システム制御方法及び画像形成システム制御プログラムは、収容されている用紙を給紙する給紙部と、前記用紙に形成すべき画像について回転処理を含む画像処理を行う画像処理部と、前記画像処理部で処理された前記画像を前記用紙に形成する画像形成部と、装置基準位置から所定距離となる用紙処理実行位置に用紙処理を行う用紙処理部と、前記給紙と前記画像処理と前記画像形成と前記用紙処理とを制御する制御部と、を有し、前記用紙に対して前記用紙処理とは別の別用紙処理が可能に構成された場合に、前記制御部は、前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、前記装置基準位置と前記用紙基準位置とが合致するように、前記給紙部からの前記用紙の給紙を制御し、前記給紙された前記用紙の向きと前記画像形成部での前記画像の形成の向きと前記用紙処理部での前記用紙の向きとが合致するように、前記画像処理部での前記回転処理の角度を制御し、前記装置基準位置と前記用紙基準位置とを合致させる状態で前記用紙処理と前記別用紙処理とを実行可能な前記用紙が前記給紙部に存在するか否かを判断し、判断結果を表示もしくは通知するよう制御する、ことを特徴とする。
（２）上述した課題を解決するために本願発明の一側面が投影された画像形成システム、画像形成システム制御方法及び画像形成システム制御プログラムは、収容されている用紙を給紙する給紙部と、前記用紙に形成すべき画像について回転処理を含む画像処理を行う画像処理部と、前記画像処理部で処理された前記画像を前記用紙に形成する画像形成部と、装置基準位置から所定距離となる用紙処理実行位置に用紙処理を行う用紙処理部と、前記給紙と前記画像処理と前記画像形成と前記用紙処理とを制御する制御部と、を有し、前記用紙に対して前記用紙処理とは別の別用紙処理が可能に構成された場合に、前記制御部は、前記用紙処理実行位置を指定する際の基準として前記画像の配置との関係で前記用紙側に指定される用紙基準位置と、前記用紙基準位置からの距離として前記用紙処理の位置が指定される指定距離と、を受け付け、前記装置基準位置と前記用紙基準位置とが合致するように、前記給紙部からの前記用紙の給紙を制御し、前記給紙された前記用紙の向きと前記画像形成部での前記画像の形成の向きと前記用紙処理部での前記用紙の向きとが合致するように、前記画像処理部での前記回転処理の角度を制御し、前記装置基準位置と前記用紙基準位置とを合致させる状態で前記用紙処理と前記別用紙処理とを実行可能な前記用紙が前記給紙部に存在するか否かを判断し、存在しないと判断された場合には前記用紙処理又は前記別用紙処理の何れか一方の設定を解除する、ことを特徴とする。
【００１９】
（３）上記（２）において、前記用紙に対して前記用紙処理とは別の別用紙処理が可能に構成され、前記制御部は、前記別用紙処理を実行する場合に、前記装置基準位置と前記用紙基準位置とを合致させることが可能か否かを判断し、判断結果を表示もしくは通知するよう制御する機能を有する、ことを特徴とする。
【発明の効果】
【００２３】
本発明によると、以下のような効果が得られる。
（１）上述した課題を解決するために本願発明の一側面が投影された画像形成システム、画像形成システム制御方法及び画像形成システム制御プログラムでは、用紙処理実行位置を指定する際の基準として画像の配置との関係で用紙側に指定される用紙基準位置と、用紙基準位置からの距離として用紙処理の位置が指定される指定距離とを受け付け、装置基準位置と用紙基準位置とが合致するように用紙の給紙を制御すると共に、給紙された用紙の向きと画像形成部での画像の形成の向きと用紙処理部での用紙の向きとが合致するように回転処理の角度を制御することにより、装置基準位置と用紙基準位置とが合致した状態で画像形成と用紙処理とが実行されるため、用紙処理部は用紙基準位置に合致した装置基準位置から所定距離で用紙処理を実行することになり、用紙の収縮の影響によらず指定された位置に精度良く用紙処理を実行することができる。ここで、装置基準位置と用紙基準位置とを合致させる状態で用紙処理と別用紙処理とを実行可能な用紙が給紙部に存在するか否かを判断し、判断結果を表示もしくは通知するよう制御するため、装置基準位置と用紙基準位置とが合致させた状態において指定距離で用紙処理を実行し、用紙の収縮の影響によらず指定された位置に精度良く用紙処理を実行できることを確認することができる。
（２）上述した課題を解決するために本願発明の一側面が投影された画像形成システム、画像形成システム制御方法及び画像形成システム制御プログラムでは、用紙処理実行位置を指定する際の基準として画像の配置との関係で用紙側に指定される用紙基準位置と、用紙基準位置からの距離として用紙処理の位置が指定される指定距離とを受け付け、装置基準位置と用紙基準位置とが合致するように用紙の給紙を制御すると共に、給紙された用紙の向きと画像形成部での画像の形成の向きと用紙処理部での用紙の向きとが合致するように回転処理の角度を制御することにより、装置基準位置と用紙基準位置とが合致した状態で画像形成と用紙処理とが実行されるため、用紙処理部は用紙基準位置に合致した装置基準位置から所定距離で用紙処理を実行することになり、用紙の収縮の影響によらず指定された位置に精度良く用紙処理を実行することができる。ここで、装置基準位置と用紙基準位置とを合致させる状態で用紙処理と別用紙処理とを実行可能な用紙が給紙部に存在するか否かを判断し、存在しないと判断された場合には用紙処理又は別用紙処理の何れか一方の設定を解除することにより、装置基準位置と用紙基準位置とが合致しない状態の用紙処理を行わないことが可能になる。すなわち、用紙の収縮の影響を受けた精度の良くない用紙処理を排除することが可能になる。
【００２４】
（３）上記（２）において、別用紙処理を実行する場合に、装置基準位置と用紙基準位置とを合致させることが可能か否かを判断し、判断結果を表示もしくは通知するよう制御する機能を有するため、装置基準位置と用紙基準位置とが合致させた状態において指定距離で用紙処理を実行し、用紙の収縮の影響によらず指定された位置に精度良く用紙処理を実行できることを確認することができる。
【図面の簡単な説明】
【００２８】
【図１】本発明の実施形態の画像形成システムの構成を示すブロック図である。
【図２】本発明の実施形態の画像形成システムの構成を示す構成図である。
【図３】本発明の実施形態の画像形成システムの主要部の構成を示す構成図である。
【図４】本発明の実施形態の画像形成システムの主要部の構成を示す構成図である。
【図５】本発明の実施形態の画像形成システムの動作を示すフローチャートである。
【図６】本発明の実施形態の画像形成システムの動作時の画面例説明図である。
【図７】本発明の実施形態の画像形成システムの動作時の画面例説明図である。
【図８】本発明の実施形態の画像形成システムの動作時の画面例説明図である。
【図９】本発明の実施形態の画像形成システムの動作時の画面例説明図である。
【図１０】本発明の実施形態の画像形成システムの動作時の画面例説明図である。
【図１１】本発明の実施形態の画像形成システムの動作状態を示す説明図である。
【図１２】本発明の実施形態の画像形成システムの動作時の画面例説明図である。
【図１３】本発明の実施形態の画像形成システムの動作状態を示す説明図である。
【図１４】本発明の実施形態の画像形成システムの動作時の画面例説明図である。
【図１５】本発明の実施形態の画像形成システムの動作状態を示す説明図である。
【図１６】本発明の実施形態の画像形成システムの動作時の画面例説明図である。
【図１７】本発明の実施形態の画像形成システムの動作状態を示す説明図である。
【図１８】本発明の実施形態の画像形成システムの動作時の画面例説明図である。
【図１９】本発明の実施形態の画像形成システムの動作状態を示す説明図である。
【図２０】本発明の実施形態の画像形成システムの動作時の画面例説明図である。
【図２１】本発明の実施形態の画像形成システムの動作状態を示す説明図である。
【発明を実施するための形態】
【００２９】
以下、図面を参照して本発明を実施するための形態（以下、実施形態）を詳細に説明する。
〔画像形成システムの構成〕
図１と図２とを参照して、本実施の形態に係る用紙処理装置を備える画像形成システムの構成について説明する。図１と図２とに示すように、この画像形成システムは、画像形成装置１００と、用紙処理装置３００と、用紙処理装置４００と、を有している。なお、画像形成装置１００と用紙処理装置３００との間に別な装置が存在していても良いし、用紙処理装置４００は存在していなくとも良い。また、更に後段に別の用紙処理装置が連結されていても良い。
【００３０】
あるいは、画像形成装置１００と用紙処理装置３００とからなる画像形成システムで画像形成と用紙処理された用紙に対して、画像形成システムとしては接続されていない用紙処理装置（図示せず）を用いて用紙処理を実行することも可能である。
【００３１】
画像形成装置１００は、画像形成装置１００内の各部を制御すると共に画像形成システムとしてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて画像形成（印刷）を実行する画像形成部１５０と、を備えて構成されている。なお、画像形成装置１００で画像形成された用紙は、後段の用紙処理装置３００に向けて搬出される。
【００３２】
用紙処理装置３００は、画像形成装置１００の後段に接続されており、用紙処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、用紙処理された用紙束を排出させる排出経路を選択する排出経路選択部３０５と、用紙を所定速度で搬送する搬送部３０７と、用紙全体として折ることなく筋を付ける筋付け部３１０と、筋付け処理後の用紙を次の用紙処理のために整合により位置制御する位置制御部としての整合部３２０と、用紙を中折り又は３つ折りに折る折り部３３０と、用紙処理のために用紙を重ね合わせて用紙束とする重ね合わせ部３４０と、折り部３３０で折られた用紙に用紙処理として中綴じを施す中綴じ部３５０と、中綴じ用の折り目が形成された用紙束の背折り部を平坦にする角背処理を施す角背処理部３６０と、中綴じされた用紙束の小口部分を断裁する断裁部３７０と、を備えて構成される。
【００３３】
用紙処理装置４００は、用紙処理装置３００の後段に接続されており、用紙処理装置４００内の各部を制御する制御部４０１と、画像形成装置１００や用紙処理装置３００と通信するための通信部４０２と、制御プログラム及び各種設定データを記憶すると共に制御プログラムのワークエリアとして使用される記憶部４０４と、用紙処理された用紙束を排出させる排出経路を選択する排出経路選択部４０５と、用紙を所定速度で搬送する搬送部４１０と、用紙束を平綴じ処理を施す平綴じ部４２０と、メイントレイを排出先として用紙を排出するメイントレイ排出部４４０と、サブトレイを排出先として用紙を排出するサブトレイ排出部４５０と、を備えて構成される。
【００３４】
なお、図２の斜視図では、画像形成システムの主要部の構成を模式的に透過斜視図として示している。画像形成装置１００内の画像形成部１５０で画像形成されてから、図２のＸ方向に搬送されてきた用紙を、用紙処理装置４００で用紙処理する場合には、用紙処理装置３００でもそのままＸ方向に搬送する。
【００３５】
一方、用紙処理装置３００において更なる用紙処理を実行する場合は、図２のように、筋付け部３１０でＹ方向の筋を付けた後に、折り部３３０においてＹ方向を稜線として中折りし、Ｙ方向に搬送しつつ、重ね合わせ部３４０と中綴じ部３５０とで重ね合わせてから折りと中綴じを実行し、さらに、Ｙ方向に搬送して角背処理部３６０でにより背表紙の部分を平坦にする角背処理を施すことで、用紙処理の実行効率が高まり、画像形成システムとして生産性を高めることが可能になる。
【００３６】
また、図１と図２における、画像形成装置１００、用紙処理装置３００、用紙処理装置４００の接続や構成や配置例は、画像形成システムの具体的な一例に過ぎない。よって、図１と図２に示される接続や用紙搬送方向に限定されるものではない。
【００３７】
〔基本動作〕
ここで、用紙処理の一例として、筋付け部３１０の構成と動作を説明する。図３と図４は、筋付け処理を行うクリーサーと呼ばれる筋付け部３１０の基本構成を、ＸＺ平面にて示す断面構成図である。
【００３８】
ここで、画像形成装置１００から筋付け部３１０に搬送されてくる用紙は、筋付け部３１０で筋付け処理を実行する場合には、反転搬送路３０７Ｒに引き込まれ、搬送ローラ３０７Ｒ１１，３０７Ｒ１２，３０７Ｒ２１，３０７Ｒ２２による挟持搬送制御と、先端ストッパ３２５１による位置規制とにより、用紙が所定位置で停止する（図３）。
【００３９】
なお、先端ストッパ３２５１において用紙に接する面の位置が、装置側の基準位置としての「装置基準位置」である。また、先端ストッパ３２５１に接する用紙側の一辺の位置が、用紙側の基準位置としての「用紙基準位置」である。
【００４０】
そして、筋付け部３１０は、先端ストッパ３２５１の装置基準位置を基準として、指示された所定距離となる用紙処理実行位置に用紙処理を行う。
この後、筋付けナイフ駆動部３１１により駆動され、Ｙ方向に伸びた筋付けナイフ３１２が、同様にＹ方向に伸びた凹部を有する筋付け台３１３に向かって、−Ｘ方向に伸長することで、筋付けナイフ３１２の先端と筋付け台３１３の凹部との間に用紙が挟持される。この動作により、Ｙ方向を長手方向とする筋が形成される（図４）。なお、この筋付け処理では、用紙全体としては平面状態を保っているため、折り処理による折り目とは異なり、平面上の用紙に、断面形状が半円形の筋が形成される。
【００４１】
また、この筋付け処理の際に、搬送ローラ３０７Ｒ１１，３０７Ｒ１２，３０７Ｒ２１，３０７Ｒ２２による挟持搬送制御と、先端ストッパ３２５１の停止位置制御とにより、用紙上の所望の位置に１本若しくは複数本の筋を付すことができる。また、このようにして筋が付された用紙は、搬送ローラ３０７Ｒ１１，３０７Ｒ１２，３０７Ｒ２１，３０７Ｒ２２によって、反転搬送路３０７Ｒを戻って折り部３３０に向かって搬送される。
【００４２】
なお、以上の用紙処理実行位置における「所定距離」を実現するため、筋付け部３１０が固定であって先端ストッパ３２５１が用紙搬送方向に伸縮する、先端ストッパ３２５１が固定であって筋付け部３１０が用紙搬送方向に移動する、先端ストッパ３２５１と筋付け部３１０が共に用紙搬送方向に移動する、のいずれであっても良い。
【００４３】
また、ここには具体例を示さない他の用紙処理についても、同様にして、装置基準位置と用紙基準位置とを一致させて、装置基準位置から所定距離の用紙処理実行位置に実行することが可能である。
【００４４】
また、図２−図４では、用紙搬送方向の先端側で、装置基準位置と用紙基準位置とを一致させる具体例を示したが、これに限定されるものではない。すなわち、用紙搬送方向側面で装置基準位置と用紙基準位置とを一致させるような構成も可能である。
【００４５】
〔実施形態の動作〕
以下、図５のフローチャートや図６以降の各種説明図を参照して、本実施形態の動作についての説明を行う。ここでは、図１と図２の接続状態の画像形成システムにおいて、画像形成装置１００で画像形成を行い、用紙処理装置３００で筋付け処理を実行する場合を具体例にして説明する。
【００４６】
また、以下の動作説明は、画像形成システム、この画像形成システムを制御する画像形成システム制御方法、及び、画像形成システムのコンピュータを制御する画像形成システム制御プログラムの動作説明である。
【００４７】
制御部１０１は、操作表示部１０３あるいは外部のＰＣを介して、画像形成開始指示と画像データとを受信する（図５中のステップＳ１００）。なお、画像データについては、外部から受信する以外にも、記憶部１０４や画像データ記憶部１３０に予め記憶されているものに対する指定であっても良い。
【００４８】
なお、この画像形成開始指示に、使用する用紙の指定、画像形成する部数、各種の用紙処理の指定などの、各種の指示（ジョブ設定情報）が含まれている。この実施形態では、用紙処理として、少なくとも筋付け処理の指定がなされている場合を想定する。
【００４９】
そして、制御部１０１は、画像形成の指定があった画像データについて、圧縮形式やページ記述言語形式であれば、記憶部１０４上や画像データ記憶部１３０上で画像形成可能なイメージデータに展開する（図５中のステップＳ１０１）。
【００５０】
制御部１０１は、指定されている筋付け処理における用紙処理実行位置の指定の前準備として、装置基準位置に接する用紙側の基準位置としての用紙基準位置の指定のための表示画面１０３Ｇ（図６参照）を操作表示部１０３に表示して、オペレータからの用紙基準位置の指定を受け入れる（図５中のステップＳ１０２前半）。
【００５１】
なお、用紙側の基準位置としての用紙基準位置とは、用紙処理実行位置の起点となる装置基準位置に接する、用紙側に指定される一辺である。また、この用紙基準位置とは、用紙の短辺や長辺といった区別だけでなく、用紙に形成される画像の配置との関係で、用紙の短辺であって、画像の上側のような意味を有する（図６参照）。
【００５２】
図６に示す例では、表示画面１０３Ｇ内に、用紙基準位置指定画面１０３Ｇａが示されている。そして、用紙基準位置指定画面１０３Ｇａ１内には、用紙の向きと画像の配置の一例が示される用紙上画像例１０３Ｇａ１１と、上下左右の方向を指定可能な方向指定部を有する指定操作部１０３Ｇａ１２が示されている。
【００５３】
ここで、オペレータは、指定操作部１０３Ｇａ１２に含まれる方向指定部を用いて、用紙上画像例１０３Ｇａ１１上で、用紙基準位置となる一辺を指定する。この図６では、用紙基準位置指定表示部１０３Ｇａ１３が、用紙の短辺・画像の上側に表示されており、用紙基準位置として、用紙の短辺・画像の上側が指定された様子を示している。
【００５４】
以上のようにして用紙基準位置が指定されると、制御部１０１は、指定されている筋付け処理における用紙処理実行位置の指定受け付けのための表示画面１０３Ｇ（図７参照）を操作表示部１０３に表示して、オペレータから用紙処理実行位置の指定を受け入れる（図５中のステップＳ１０２後半）。
【００５５】
図７に示す例では、表示画面１０３Ｇ内に、用紙処理実行位置指定画面１０３Ｇａ１’が示されている。用紙処理実行位置指定画面１０３Ｇａ１’内には、用紙の向きと画像の配置の一例が示される用紙上画像例１０３Ｇａ１１と、矢印キーにより用紙処理実行位置を移動可能な操作部１０３Ｇａ１２、数値キーにより用紙処理実行位置を指定可能な数値指定部１０３Ｇａ１４、が示されている。この図７では、用紙基準位置から１２５mmの位置と２５０mmの位置に用紙処理実行位置が指定された状態を示している。なお、ここで指定される１２５mmや２５０mmが、装置基準位置から用紙処理実行位置までの所定距離に相当する。
【００５６】
用紙基準位置として用紙の短辺が指定された場合（図５中のステップＳ１０３でＹＥＳ）、図２−図４の画像形成システムは用紙搬送方向の先端側で装置基準位置と用紙基準位置とを一致させるものであるため、制御部１０１は、該当サイズであって短辺が搬送方向先端になる用紙が給紙部１０５に存在するか否かを判断する（図５中のステップＳ１０４）。
【００５７】
ここで、該当サイズであって短辺が搬送方向先端になる用紙が給紙部１０５に存在する場合には（図５中のステップＳ１０４でＹＥＳ）、次の処理に進む。一方、該当サイズであって短辺が搬送方向先端になる用紙が給紙部１０５に存在しない場合には（図５中のステップＳ１０４でＮＯ）、制御部１０１は、該当用紙が給紙部１０５に存在しないため、該当用紙（短辺を搬送先頭向き）を給紙部１０５にセットするよう警告画面を操作表示部１０３に表示する（図５中のステップＳ１０５）。なお、外部ＰＣから操作を受けている場合には、制御部１０１は、該当用紙が給紙部１０５に存在しないため、該当用紙（短辺を搬送先頭向き）を給紙部１０５にセットするよう警告画面を外部ＰＣに対して通知する。
【００５８】
用紙基準位置として用紙の長辺が指定された場合（図５中のステップＳ１０３でＮＯ）、図２−図４の画像形成システムは用紙搬送方向の先端側で装置基準位置と用紙基準位置とを一致させるものであるため、制御部１０１は、該当サイズであって長辺が搬送方向先端になる用紙が給紙部１０５に存在するか否かを判断する（図５中のステップＳ１０６）。
【００５９】
ここで、該当サイズであって長辺が搬送方向先端になる用紙が給紙部１０５に存在する場合には（図５中のステップＳ１０６でＹＥＳ）、次の処理に進む。一方、該当サイズであって長辺が搬送方向先端になる用紙が給紙部１０５に存在しない場合には（図５中のステップＳ１０６でＮＯ）、制御部１０１は、該当用紙が給紙部１０５に存在しないため、該当用紙（長辺を搬送先頭向き）を給紙部１０５にセットするよう警告画面を操作表示部１０３に表示する（図５中のステップＳ１０７）。なお、外部ＰＣから操作を受けている場合には、制御部１０１は、該当用紙が給紙部１０５に存在しないため、該当用紙（長辺を搬送先頭向き）を給紙部１０５にセットするよう警告画面を外部ＰＣに対して通知する。
【００６０】
また、制御部１０１は、用紙基準位置から決定される用紙の向きと、画像データの向き（すなわち、用紙上での画像の配置）とが一致しているかを判断する（図５中のステップＳ１０８）。
【００６１】
用紙基準位置から決定される用紙の向きと画像データの向きとが一致していない場合には（図５中のステップＳ１０８でＮＯ）、制御部１０１は、図６−図７に示された状態になるように、画像データを９０°回転させるよう設定する（図５中のステップＳ１０９）。
【００６２】
また、制御部１０１は、画像形成部１５０におけるトナー像の用紙への転写位置から筋付け処理の用紙停止位置（ストッパ３２５１の位置）までの経路での用紙の搬送や反転を確認し、装置基準位置と用紙基準位置とが合致するかを確認する（図５中のステップＳ１１１）。例えば、排紙時のフェイスアップやフェイスダウンの指定に関連して、搬送途中で用紙を反転する場合があり、この反転によって用紙基準位置の向きが１８０°変わってしまうことがある。
【００６３】
装置基準位置と用紙基準位置とが合致していない場合には（図５中のステップＳ１１１でＮＯ）、制御部１０１は、筋付け部３１０のストッパ３２５１の位置において図６−図７に示された状態になるように、画像データを１８０°回転させるよう設定する（図５中のステップＳ１１２）。
【００６４】
また、制御部１０１は、画像形成において指定されている他の用紙処理との関係で筋付け処理に対して制限が生じるかを判断する（図５中のステップＳ１１３）。
筋付け処理に対する制限としては、他の用紙処理を実行する関係で筋付け処理における用紙の向きを変更する必要があって筋付け処理において装置基準位置と用紙基準位置とを一致させることができない場合、他の用紙処理を実行するのに必要な要件（用紙向きなど）と筋付け処理を実行するのに必要な要件（用紙向きなど）との全てを満たす用紙が存在せず全ての用紙処理を実行することができない場合、などがある。
【００６５】
画像形成において指定されている他の用紙処理との関係で、筋付け処理において装置基準位置と用紙基準位置とを一致させることができないような制限が生じる場合（図５中のステップＳ１１３でＹＥＳ）、制御部１０１は、「他の用紙処理との関係で、筋付け処理において指定された用紙基準位置と装置基準位置とを一致させることができません。このため、用紙収縮によって用紙処理位置がずれる場合があります。」との警告表示画面１０３Ｇ（図８参照）を操作表示部１０３に表示する（図５中のステップＳ１１４）。
【００６６】
画像形成において指定されている他の用紙処理との関係で、全ての要件を満たす用紙が存在しないという制限が生じる場合（図５中のステップＳ１１３でＹＥＳ）、制御部１０１は、「複数の用紙処理が指定されており、全ての用紙処理の要件を満たす向きの用紙が存在しません。いずれかの用紙処理を解除します。［画像形成を中止］［筋付け処理を解除］［他用紙処理を解除］」との警告表示画面１０３Ｇ（図９参照）を操作表示部１０３に表示し、オペレータから中止や解除の指定を受け入れる（図５中のステップＳ１１４）。
【００６７】
なお、いずれかの用紙処理において、処理の方向を変更することが可能であって、その方向変更によってすべての用件を満たす用紙が存在することになる場合には、用紙処理の方向変更を優先して、できるだけ処理解除や画像形成中止を避けるように、制御部１０１が制御を行う。
【００６８】
ここで、制御部１０１は、他の用紙処理との関係で筋付け処理において装置基準位置と用紙基準位置とを一致させることができない場合には、筋付け処理における装置基準位置と用紙基準位置とが一致しない状態で処理を進める（図５中のステップＳ１１５でＮＯ（一部処理解除））。また、制御部１０１は、他の用紙処理との関係で全ての要件を満たす用紙が存在しない場合に、オペレータからの指示に応じて、何れかの用紙処理を解除した状態で処理を進める（図５中のステップＳ１１５でＮＯ（一部処理解除））か、画像形成を中止とする（図５中のステップＳ１１５でＹＥＳ（画像形成中止）、エンド）。
【００６９】
そして、制御部１０１は、以上のようにして算出された向きの用紙を給紙部１０５から給紙し、以上のようにして算出された回転角度に応じて画像を画像処理部１４０で回転させ、画像形成部１５０で用紙上に画像を形成し、筋付け部３１０で筋付け処理を実行し、他の用紙処理部で他の用紙処理を実行するように制御する（図５中のステップＳ１１６）。以上の回転処理としては、９０°、１８０°、２７０°（＝９０＋１８０°）のいずれか設定された角度で処理を行う。また、他の用紙処理との関係で一部解除された処理については、解除された状態で以上の各処理を進める。
【００７０】
〔筋付け処理における具体例〕
〔具体例（１）〕
ここで、表示画面１０３Ｇにおける用紙基準位置の指定と用紙処理実行位置の指定の例を図１０に示し、図１０の指定を受けた場合における筋付け部３１０の様子を図１１に示す。なお、図示の関係で、筋付け部３１０としては、筋付けナイフ駆動部３１１を示している。
【００７１】
図１０では縦長用紙に画像が配置され、画像との関係で用紙上側短辺を用紙基準位置として、この用紙基準位置から用紙処理実行位置が指定されている。この図１０の指定を受けた場合、制御部１０１は、用紙上側短辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図１０で指定された所定距離である用紙処理実行位置において用紙処理を実行するよう制御する（図１１参照）。
【００７２】
〔具体例（２）〕
表示画面１０３Ｇにおける用紙基準位置の指定と用紙処理実行位置の指定の例を図１２に示し、図１２の指定を受けた場合における筋付け部３１０の様子を図１３に示す。
【００７３】
図１２では縦長用紙に画像が配置され、画像との関係で用紙下側短辺を用紙基準位置として、この用紙基準位置から用紙処理実行位置が指定されている。この図１２の指定を受けた場合、制御部１０１は、用紙下側短辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図１２で指定された所定距離である用紙処理実行位置において用紙処理を実行するよう制御する（図１３参照）。
【００７４】
〔具体例（３）〕
表示画面１０３Ｇにおける用紙基準位置の指定と用紙処理実行位置の指定の例を図１４に示し、図１４の指定を受けた場合における筋付け部３１０の様子を図１５に示す。
【００７５】
図１４では縦長用紙に画像が配置され、画像との関係で用紙左側長辺を用紙基準位置として、この用紙基準位置から用紙処理実行位置が指定されている。この図１４の指定を受けた場合、制御部１０１は、用紙左側長辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図１４で指定された所定距離である用紙処理実行位置において用紙処理を実行するよう制御する（図１５参照）。
【００７６】
〔具体例（４）〕
表示画面１０３Ｇにおける用紙基準位置の指定と用紙処理実行位置の指定の例を図１６に示し、図１６の指定を受けた場合における筋付け部３１０の様子を図１７に示す。
【００７７】
図１６では縦長用紙に画像が配置され、画像との関係で用紙右側長辺を用紙基準位置として、この用紙基準位置から用紙処理実行位置が指定されている。この図１６の指定を受けた場合、制御部１０１は、用紙右側長辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図１６で指定された所定距離である用紙処理実行位置において用紙処理を実行するよう制御する（図１７参照）。
【００７８】
〔具体例（５）〕
表示画面１０３Ｇにおける用紙基準位置の指定と用紙処理実行位置の指定の例を図１８に示し、図１８の指定を受けた場合における筋付け部３１０の様子を図１９に示す。
【００７９】
図１８では横長用紙に画像が配置され、画像との関係で用紙左側短辺を用紙基準位置として、この用紙基準位置から用紙処理実行位置が指定されている。この図１８の指定を受けた場合、制御部１０１は、用紙左側短辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図１８で指定された所定距離である用紙処理実行位置において用紙処理を実行するよう制御する（図１９参照）。
【００８０】
〔具体例（６）〕
表示画面１０３Ｇにおける用紙基準位置の指定と用紙処理実行位置の指定の例を図２０に示し、図２０の指定を受けた場合における筋付け部３１０の様子を図２１に示す。
【００８１】
図２０では横長用紙に画像が配置され、画像との関係で用紙上側長辺を用紙基準位置として、この用紙基準位置から用紙処理実行位置が指定されている。この図２０の指定を受けた場合、制御部１０１は、用紙上側長辺を搬送方向先端にして搬送し、用紙基準位置と装置基準位置（ストッパ３２５１）とを一致させる。この際に、制御部１０１は、用紙基準位置となるストッパ３２５１の位置をａ１方向に移動するか、あるいは、筋付けナイフ駆動部３１１（筋付け部３１０）の位置をａ２方向に移動するように制御して、図２０で指定された所定距離である用紙処理実行位置において用紙処理を実行するよう制御する（図２１参照）。
【００８２】
〔その他の実施形態〕
以上の説明では、用紙処理として筋付け処理を中心にして説明してきたが、パンチ処理、折り処理、スリット処理など各種の用紙処理について適用することが可能である。すなわち、画像形成システムとして複数の用紙処理を実行する場合には、それぞれの用紙処理について本実施形態を適用することが可能である。
【００８３】
〔実施形態により得られる効果〕
（１）以上説明した画像形成システム、この画像形成システムを制御する画像形成システム制御方法、及び、画像形成システムのコンピュータを制御する画像形成システム制御プログラムでは、用紙処理実行位置を指定する際の基準として画像の配置との関係で用紙側に指定される用紙基準位置と、用紙基準位置からの距離として用紙処理の位置が指定される指定距離とを受け付け、装置基準位置と用紙基準位置とが合致するように用紙の給紙を制御すると共に、給紙された用紙の向きと画像形成部での画像の形成の向きと用紙処理部での用紙の向きとが合致するように回転処理の角度を制御することにより、装置基準位置と用紙基準位置とが合致した状態で画像形成と用紙処理とが実行されるため、用紙処理部は用紙基準位置に合致した装置基準位置から所定距離で用紙処理を実行することになり、用紙の収縮の影響によらず指定された位置に精度良く用紙処理を実行することができる。
【００８４】
（２）上記（１）において、別の用紙処理を実行する場合に、装置基準位置と用紙基準位置とを合致させることが可能か否かを判断し、判断結果を表示もしくは通知するよう制御する機能を有するため、装置基準位置と用紙基準位置とが合致させた状態において指定距離で用紙処理を実行し、用紙の収縮の影響によらず指定された位置に精度良く用紙処理を実行できることを確認することができる。
【００８５】
（３）上記（１）−（２）において、別用紙処理を実行する場合に装置基準位置と用紙基準位置とを合致させることが可能か不可能かを判断し、合致が不可能と判断された場合には用紙処理又は別用紙処理の何れか一方の設定を解除することにより、装置基準位置と用紙基準位置とが合致しない状態の用紙処理を行わないことが可能になる。すなわち、用紙の収縮の影響を受けた精度の良くない用紙処理を排除することが可能になる。
【００８６】
（４）上記（１）において、装置基準位置と用紙基準位置とを合致させる状態で用紙処理と別用紙処理とを実行可能な用紙が給紙部に存在するか否かを判断し、判断結果を表示もしくは通知するよう制御するため、装置基準位置と用紙基準位置とが合致させた状態において指定距離で用紙処理を実行し、用紙の収縮の影響によらず指定された位置に精度良く用紙処理を実行できることを確認することができる。
【００８７】
（５）上記（１）−（２）において、装置基準位置と用紙基準位置とを合致させる状態で用紙処理と別用紙処理とを実行可能な用紙が給紙部に存在するか否かを判断し、存在しないと判断された場合には用紙処理又は別用紙処理の何れか一方の設定を解除することにより、装置基準位置と用紙基準位置とが合致しない状態の用紙処理を行わないことが可能になる。すなわち、用紙の収縮の影響を受けた精度の良くない用紙処理を排除することが可能になる。
【符号の説明】
【００８８】
１００  画像形成装置
１０１  制御部
１０２  通信部
１０４  記憶部
１０３  操作表示部
１０５  給紙部
１０７  搬送部
１３０  画像データ記憶部
１４０  画像処理部
１５０  画像形成部
３００  用紙処理装置
３０１  制御部
３０２  通信部
３０４  記憶部
３０７  搬送部
３１０  筋付け部
３２０  整合部
３３０  折り部
３４０  重ね合わせ部
３５０  中綴じ部
３６０  角背処理部
３７０  断裁部
４００  用紙処理装置
４０１  制御部
４０２  通信部
４１０  搬送部
４２０  平綴じ部
４４０  メイントレイ排出部
４５０  サブトレイ排出部
【図１】
0005895903.tif 000002
【図２】
0005895903.tif 000003
【図５】
0005895903.tif 000004
【図８】
0005895903.tif 000005
【図３】
0005895903.tif 000006
【図４】
0005895903.tif 000007
【図６】
0005895903.tif 000008
【図７】
0005895903.tif 000009
【図９】
0005895903.tif 000010
【図１０】
0005895903.tif 000011
【図１１】
0005895903.tif 000012
【図１２】
0005895903.tif 000013
【図１３】
0005895903.tif 000014
【図１４】
0005895903.tif 000015
【図１５】
0005895903.tif 000016
【図１６】
0005895903.tif 000017
【図１７】
0005895903.tif 000018
【図１８】
0005895903.tif 000019
【図１９】
0005895903.tif 000020
【図２０】
0005895903.tif 000021
【図２１】
0005895903.tif 000022